(57)【要約】      （修正有）【課題】誘導的に充電される耳掛け型補聴支援機器において、エネルギー貯蔵部の発熱を回避する。【解決手段】無線信号送信２０およびエネルギー貯蔵部１６への無線エネルギー伝達２６のためのアンテナ要素１８を有する送信および／または受信ユニット１９を含む補聴器耳掛け型補聴支援機器４であって、アンテナ要素１８は、フィルム構造として形成され、エネルギー貯蔵部１６を少なくとも部分的に取り囲む。【選択図】図１
2019004461.tif 000002
【特許請求の範囲】
【請求項１】
無線信号送信（２０）およびエネルギー貯蔵部（１６）への無線エネルギー伝達（２６）のためのアンテナ要素（１８）を有する送信および／または受信ユニット（１９）を含む補聴器（４）、特に耳掛け型補聴支援機器であって、前記アンテナ要素（１８）は、フィルム構造（３２）として形成され、前記アンテナ要素（１８）は、前記エネルギー貯蔵部（１６）を少なくとも部分的に取り囲む、補聴器（４）。
【請求項２】
前記アンテナ要素（１８）の前記フィルム構造（３２）は、強磁性物質またはフェリ磁性物質から形成され、
前記フィルム構造（３２）は、第１および第２のフィルム要素（３４、３６）と、第３のフィルム要素（３８）とを含み、
前記第１および第２のフィルム要素（３４、３６）は、前記エネルギー貯蔵部（１６）の対向する側端部（２８）に配置され、
前記第３のフィルム要素（３８）は、前記エネルギー貯蔵部（１６）の円周領域（３０）に重なることを特徴とする請求項１に記載の補聴器（４）。
【請求項３】
前記第３のフィルム要素（３８）は、ワイヤまたはコイル巻線（４２）を備える前記アンテナ要素（１８）のコイル芯（４０）を形成することを特徴とする請求項２に記載の補聴器（４）。
【請求項４】
前記第１および／または第２のフィルム要素（３４、３６）は、前記エネルギー貯蔵部（１６）の前記それぞれの側端部（２８）を少なくとも部分的に、好ましくは側端部表面の少なくとも半分を覆うことを特徴とする請求項２または３に記載の補聴器（４）。
【請求項５】
シールド（４４）が、前記アンテナ要素（１８）の前記フィルム構造（３２）と前記エネルギー貯蔵部（１６）との間に配置されることを特徴とする請求項１〜４のいずれか一項に記載の補聴器（４）。
【請求項６】
前記シールド（４４）は、反磁性物質または常磁性物質、特に銅から形成されるか、または反磁性物質または常磁性物質を含有することを特徴とする請求項５に記載の補聴器（４）。
【請求項７】
前記シールド（４４）は、前記アンテナ要素（１８）の前記フィルム構造（３２）によって少なくとも部分的に覆われることを特徴とする請求項５または６に記載の補聴器（４）。
【請求項８】
前記シールド（４４）は、特にフレキシブル印刷回路基板（５０）内に導入され、前記フレキシブル印刷回路基板は、前記エネルギー貯蔵部（１６）の方に対面する基板表面において、電子補聴器構成要素（６０、７０）、特に前記送信および／または受信ユニット（１９）を担持することを特徴とする請求項５〜７のいずれか一項に記載の補聴器（４）。
【請求項９】
前記フィルム構造（３２）は、前記電子補聴器構成要素（６０、７０）の少なくとも１つを担持する印刷回路基板（６２）に少なくとも部分的に組み込まれることを特徴とする、請求項８に記載の補聴器（４）。
【請求項１０】
前記エネルギー貯蔵部（１６）は、前記シールド（４４）の一部としての環状のジャケットシールド（４８）によって少なくとも部分的に取り囲まれることを特徴とする、請求項１〜９のいずれか一項に記載の補聴器（４）。
【発明の詳細な説明】
【技術分野】
【０００１】
本発明は、無線通信およびエネルギー貯蔵部の誘導エネルギー伝達のためのアンテナ要素を有する送信および／または受信ユニットを含む補聴器、特に耳掛け型補聴支援機器に関する。補聴器は、好ましくは補聴支援機器である。
【背景技術】
【０００２】
聴力が低下した人は、支援器具または補聴支援機器として補聴器を使用する。この場合、周囲の音または音声信号は、電気機械式音響変換器を介して得られ、電気機械式音響変換器は、音または音声信号を電気信号（音声信号）へ変換する。電気信号は、増幅回路によって処理され、かつ別の電気機械式変換器により、増幅された音声信号へ変換され、これが人の耳道に導入される。
【０００３】
補聴器の異なる実施形態が知られている。従って、いわゆる「耳掛け型補聴器」は、頭蓋骨と耳介との間に装用され、増幅された音声信号は人の耳道への音響管によって導入される。補聴器のさらなる実施形態は、「耳穴型補聴器」であり、ここで、補聴器自体が耳道内へ導入される。その結果、耳道は少なくとも部分的に閉鎖されるため、補聴器によって生成される音声信号を除いて、耳道内に別の音が入り込むことができないか、または非常に減衰された音のみが入り込み得る。
【０００４】
両耳の聴力に障害がある人の場合、補聴支援機器として２つのそのような補聴器を含む補聴器システムが使用され、２つの補聴器の一方がそれぞれ各耳に関連付けられる。人が三次元で聴取できるようにするために、補聴器を使用して得られた音声信号は、それぞれの他方の補聴器に提供される必要がある。一般に、この場合、２つの補聴器間でアンテナ（アンテナ要素）によって無線通信が行われる。
【０００５】
それぞれの補聴器は、補聴器ハウジングに導入された再充電可能なエネルギー貯蔵部によって動作される。補聴器は充電ステーションに導入され、充電ステーションは、補聴器の充電器に誘導結合され、従ってエネルギー貯蔵部を充電するためにエネルギーを無線でエネルギー貯蔵部に伝達し得る。この場合、充電処置中、エネルギー貯蔵部の金属シェルにおける交流磁界のために、不要な発熱を生じる渦電流が引き起こされる。
【発明の概要】
【発明が解決しようとする課題】
【０００６】
本発明は、可能な限り最も場所を取らない手段を使用してエネルギー貯蔵部が誘導的に充電される、特に好適な補聴器を特定するという目的に基づく。この場合、特に交流磁界のために生じる渦電流損に起因するエネルギー貯蔵部における発熱は、可能な限り回避される必要がある。
【課題を解決するための手段】
【０００７】
この目的は、本発明に従い、請求項１の特徴によって達成される。好都合な実施形態および改良形態は、従属請求項の主題である。
【０００８】
補聴器は、好ましくは、補聴器ハウジングを含み、およびそれに配置された（ハウジング内部の）送信および／または受信ユニットであって、電子ユニット、例えば信号処理用の集積回路と電気的に接触されたアンテナ要素を有する送信および／または受信ユニットを含む補聴支援機器である。アンテナ要素は、第２の補聴器との無線信号送信、特に無線通信のために使用されるため、２つの補聴器は、少なくとも時折信号をやり取りするように互いに結合される。無線通信によって２つの補聴器間で特にデータおよび／または設定条件が転送され、データ転送は、好都合には誘導的に行われる。
【０００９】
代わりにまたは組み合わせて、リモコン装置が、信号をやり取りする状態に結合される補聴器と関連付けられ、またはリモコン装置が場合により無線通信のために２つの補聴器と関連付けられ得る。この場合、データ、例えばコンフィギュレーションデータの誘導転送が好都合に行われる。
【００１０】
特に、その補聴器または各補聴器は、少なくとも部分的に使用者の耳道に挿入されるように提供および構成される。補聴器ハウジングまたは補聴器に配置されるかまたはそれに導入される再充電可能なエネルギー貯蔵部、例えばリチウムイオン充電式電池が補聴器のエネルギー供給に使用される。この場合、アンテナ要素は、誘導エネルギー伝達のためにさらに使用されるため、ある動作モードにおいて、アンテナ要素によって補聴器のエネルギー貯蔵部の無線式の充電が可能になる。
【００１１】
エネルギー貯蔵部は、互いに離間した本質的に平行な側端部（側端面）と、エネルギー貯蔵部の側端面に対して垂直な円周ジャケット表面から好適な方法で形成される円周領域とを有する。
【００１２】
アンテナ要素は、フィルム構造として形成され、かつエネルギー貯蔵部を少なくともセクションで取り囲む。フィルム構造は、この目的のために、第１および第２およびまた第３のフィルム要素を有する。この場合、第１および第２のフィルム要素は、それぞれエネルギー貯蔵部の側端部に配置される。
【００１３】
１つの好適な改良形態では、第１および／または第２のフィルム要素は、それぞれの側端部の側端面に少なくとも部分的に重なる。第１および／または第２のフィルム要素は、この場合、例えばリング形状を有し得る。第１および／または第２のフィルム要素は、好ましくは、エネルギー貯蔵部のそれぞれの側端部の側端面の少なくとも半分に重なり、好ましくは、この場合に平面として供される。換言すると、第１および第２のフィルム要素のフィルムの厚さ（エネルギー貯蔵部の側端部に対して垂直である）は、端面に対して平行なその範囲に比べて薄い。
【００１４】
設置した状態では、第３のフィルム要素は、第１および第２のフィルム要素に対して横断方向に延在し、および好ましくはエネルギー貯蔵部の円周領域の比較的小さいセクションのみに重なる。この場合、第３のフィルム要素は、好都合には、第１および第２のフィルム要素に対して横方向に延在するアンテナ要素のコイル芯を形成する。アンテナ要素のコイル芯は、多くの巻回で作製されたワイヤまたはコイル巻線を備える。
【００１５】
ワイヤまたはコイル巻線の巻回は、コイル芯を円周上で例えば横断方向、すなわち第３のフィルム要素の縦方向の範囲全体に沿って取り囲み得る。しかしながら、コイル芯は、好ましくは、少なくとも一方の側で、好ましくは両側でワイヤまたはコイル巻線から突出している。ワイヤまたはコイル巻線は、好適な方法で電子ユニットと電気的に接触する。アンテナ要素は、この場合、変成器の二次コイルを形成する。
【００１６】
好都合な実施形態では、フィルム構造の第１、第２、および第３のフィルム要素は、コヒーレントに形成される。考えられる１つの実施形態では、フィルム要素はまた、個別の部品として生産され得、これらは、例えば、最終的な組み立て済みの状態において互いに接続されるにすぎない。
【００１７】
エネルギー貯蔵部の端面における本質的に平行に向けられた第１および第２のフィルム要素の配置構成のために、およびエネルギー貯蔵部の円周領域における端面に対して本質的に垂直な第３のフィルム要素の配置構成の結果として、アンテナ要素はＵ字形状を形成する。この場合、第３のフィルム要素およびワイヤまたはコイル巻線に対する第１のフィルム要素および第２のフィルム要素の折り曲げのため、およびアンテナ要素が、フィルム厚さが可能な限り最も薄いフィルムとして形成されるため、空間要求が低減され、従って比較的コンパクトなアンテナ要素が提供され、従って、このアンテナ要素は、設置空間をほとんど提供しない補聴器の補聴器ハウジング内に収容され得る。
【００１８】
アンテナ要素は、強磁性物質および／またはフェリ磁性物質から製造され得る。アンテナ要素は、好適にはフェライトから形成される。フィルム様のアンテナ要素の第１のフィルム要素および第２のフィルム要素は、好都合には第３のフィルム要素と同じ材料からなる。
【００１９】
１つの好適な改良形態では、アンテナ要素のフィルム構造とエネルギー貯蔵部との間、特に第１のフィルム要素とエネルギー貯蔵部との間および第２のフィルム要素とエネルギー貯蔵部との間にシールドが配置される。この場合、シールドは、好ましくは高伝導の、例えば銅またはアルミニウムである反磁性物質および／または常磁性物質から形成されるか、または反磁性物質および／または常磁性物質を含有する。シールドはまた、好適には、フィルムであるかまたはフィルムによって形成される。
【００２０】
アンテナ要素は、有利には、高感度および高品質を有し、アンテナ要素は、比較的大きい端面を有するフェライトロッドアンテナのように動作する。エネルギー貯蔵部の方に対面する第１および第２のフィルム要素の側からエネルギー貯蔵部に向かう磁力線の伝播は、シールドによって回避される。アンテナ要素のフィルム構造の透磁率は、好ましくはシールドの透磁率を上回り、およびシールドの材料の電気伝導率は、好都合には、アンテナ要素のフィルム構造の電気伝導率を上回る。その結果、シールドに最大でもわずかに渦電流が引き起こされる一方、対照的に、フィルム構造における磁力線はアンテナ要素中へ侵入するため、本質的にアンテナ要素中に広がる。その結果、アンテナ要素の実効透磁率および感度が上昇する。
【００２１】
好ましい一実施形態では、シールドは、エネルギー貯蔵部の側端部を完全に覆う。シールドは、この場合、アンテナ要素のフィルム構造によって少なくとも部分的に覆われる。換言すると、第３のフィルム要素がアンテナ要素の第１および第２のフィルム要素に結合される領域を除いて、シールドは、アンテナ要素のフィルム構造によって完全に覆われる。従って、アンテナ要素の円周は、シールドの円周と整列する。代わりに、フィルム構造のサイズがシールドに対して小さくされるため、シールド上のフィルム構造の突出部がそれによって完全に覆われる。
【００２２】
アンテナ要素の感度および品質は、シールドに関するフィルム構造の実施形態により、動作において発生する条件に適合可能である。例えば、シールドに対してサイズが小さくされた第１および第２のフィルム構造は、感度を低くして、アンテナ要素の品質を改善させる。さらに、シールドは、第３のフィルム要素とエネルギー貯蔵部との間に配置され、それにより、アンテナ要素の感度および品質は、動作において発生する条件にさらに適合可能である。
【００２３】
エネルギー貯蔵部の方に対面する第１および第２のフィルム要素の側からエネルギー貯蔵部に向かう磁力線の伝播は、シールドおよびフィルム構造によって回避される。この場合、特にエネルギー貯蔵部の充電処置によって引き起こされるものである、動作的に関連する交流磁界に起因する渦電流損は、シールドに最大でもわずかに生じるにすぎない。その結果として、渦電流損およびそれによりシールド間に配置されるエネルギー貯蔵部に引き起こされる加熱は、特に有利に回避され、それによりエネルギー貯蔵部に対する損傷が回避され、およびエネルギー貯蔵部の耐用寿命が長くされる。
【００２４】
場所を取らない実施形態は、エネルギー貯蔵部上に直接実施されるアンテナ要素の配置構成により、およびアンテナ要素のフィルム構造とエネルギー貯蔵部との間のシールドの配置構成により形成される。その結果として、補聴器がより小さく供され得るか、または追加的な構成要素が補聴器に導入され得る。エネルギー貯蔵部がシールドの材料から形成される場合、フィルム構造とエネルギー貯蔵部との間に導入するための別個のシールドを設ける必要はない。
【００２５】
アンテナ要素のフィルム構造の第１および第２のフィルム要素およびシールドは、好都合には、平面として供されるため、特に効果的である。さらに、磁力線は、シールドに起因してアンテナ要素中へ侵入し、かつ本質的にアンテナ要素中に広がる。さらに、シールドに対してアンテナ要素の透磁率が高く、かつアンテナ要素に対してシールドの伝導率が高いため、アンテナ要素における渦電流損が回避される。従って、アンテナ要素の感度および品質が有利に改善される。その結果として、エネルギー貯蔵部への交流磁界によるエネルギー伝達が改善され、および充電器に対する補聴器の位置合わせまたは位置決めがより任意となり得る。
【００２６】
１つの考えられる実施形態では、フィルム構造の第１および第２のフィルム要素は、補聴器のさらなる領域にわたって、例えば補聴器全体にわたっても配置される。フィルムタイプの実施形態であるため、アンテナ要素は、場所を取らないおよびコスト効率的な方法においてそのように拡大され、それによりアンテナ要素の帯域幅およびまた品質および感度が動作条件に適合され得る。
【００２７】
１つの好適な改良形態では、シールドは、特にフレキシブル印刷回路基板に組み込まれる。フレキシブル印刷回路基板は、この場合、３つのコヒーレントな領域を有し、それにフィルム構造の第１、第２、および／または第３のフィルム要素が配置される。印刷回路基板は、有利には、この場合、エネルギー貯蔵部の方に対面する基板表面において、電子補聴器構成要素、特に送信および／もしくは受信ユニットまたは例えば充電チップの形態の充電電子ユニット、無線システムチップ、および／またはエネルギー貯蔵部用の端末を担持する。
【００２８】
補聴器構成要素は、この場合、エネルギー貯蔵部の方に対面する基板表面上において、アンテナ要素のフィルム構造の第１および第２のフィルム要素が押し付けられる印刷回路基板の領域で本質的に中心に好適に配置される。従って、補聴器構成要素は、本質的に、フィールドフリーの状態で位置決めされ、かつ磁界のために、干渉がほとんどないかまたはわずかな干渉のみがある。そのような補聴器構成要素はまた、動作中にアンテナの信号対雑音比に干渉しないか、または比較的わずかな程度にのみ干渉し、すなわち、アンテナおよび補聴器構成要素は、比較的クロストークがほとんどない。
【００２９】
特にシールドの結果、発生し得る磁界が遮蔽され、これらは、例えば、補聴器構成要素の導電性の導体または導体トラックの結果として引き起こされる。シールドの安定的な生産は、有利には、特にフレキシブル印刷回路基板にシールドを組み込むことによってもたらされる。さらに、補聴器構成要素は、例えばリフローはんだ付けにより、印刷回路基板に簡単にかつコスト効率の良い方法で取り付けることができる。
【００３０】
柔軟なフィルムからのアンテナ要素の形成およびフレキシブル印刷回路基板へのシールドの導入は、特に有利には、アンテナ要素およびシールドの簡単かつフェイルセーフな設置を可能にする。設置は、この場合、フィルム構造の第１および第２のフィルム要素ならびにそれに配置されたシールドの折り曲げにより、平面形態から開始されて行われる。フィルム構造の第１および第２のフィルム要素ならびにそれに配置されたフレキシブル印刷回路基板の領域の折り曲げは、フィルム構造の第１および第２のフィルム要素ならびにシールドをエネルギー源の側端部に対して押し付けるように行われる。
【００３１】
１つの好都合な実施形態では、アンテナ要素のフィルム構造は、補聴器構成要素の少なくとも１つを担持する印刷回路基板（回路基板）に少なくとも部分的に組み込まれる。特に、フィルム構造の第３のフィルム要素が回路基板に導入される。アンテナ要素のコイル芯を形成する第３のフィルム要素の周りのワイヤまたはコイル巻線は、この場合、回路基板の導体トラックからもたらされ、それにより、ワイヤまたはコイル巻線の複雑かつ高感度な巻線が回避される。
【００３２】
好都合な一実施形態によれば、エネルギー貯蔵部は、環状のジャケットシールドによって少なくとも部分的に取り囲まれる。換言すると、ジャケットシールドの幅は、最大でも円周領域の幅である。ジャケットシールドは、この場合、第１および第２のフィルム要素に取り付けられたシールド間の中央に配置され、および必ずしも（電気的に）閉じられていない。ジャケットシールドは、フィルム構造の第１および第２のフィルム要素に取り付けられたシールド間、および第３のフィルム要素とエネルギー貯蔵部との間に配置される。ジャケットシールドは、好ましくはシールドの一部であるが、必ずしも（電気的に）それに接続されていない。
【００３３】
エネルギー貯蔵部への磁力線の侵入は、ジャケットシールドに起因して回避されるため、特にエネルギー貯蔵部の充電処置中、シールドにおいて動作交流磁界に起因する渦電流損が引き起こされたとしてもわずかにすぎない。その結果、渦電流損およびそれにより引き起こされるエネルギー貯蔵部の加熱は、追加的なジャケットシールドを使用して特に有利に回避される。ジャケットシールドの環状の実施形態のために、エネルギー貯蔵部の簡単な置換性がさらに保証される。
【００３４】
本発明によって達成される利点は、特に、アンテナ要素の特に好適な配置構成および設計、ならびに補聴器の誘導および無線式の充電処置中にエネルギー貯蔵部の周りにシールドがある可能性に起因して、交流磁界の渦電流損の結果として補聴器のエネルギー貯蔵部における発熱が回避されることである。さらに、補聴器ハウジング内、従って補聴器内に必要な空間が削減される。その結果、補聴器は、より小さく供され得るか、またはさらなる機能のための追加的な構成要素が設置され得る。
【００３５】
補聴器は、例えば、レシーバーインカナル型補聴支援機器（ＲＩＣ補聴支援機器）、耳穴（ＩＴＥ）型補聴支援機器、外耳道挿入（ＩＴＣ）型補聴支援機器、または完全外耳道挿入（ＣＩＣ）型補聴支援機器であり得る。補聴支援機器は、特に好ましくは、耳介の後ろ側に装用される耳掛け（ＢＴＥ）型補聴支援機器である。補聴器は、（両耳）補聴器システムの一部であり得、そのような１つの補聴器は人の各耳に関連付けられ、およびデータは補聴器間で無線通信によって送信される。
【００３６】
本発明の例示的な実施形態を図面に基づいて以下で詳細に説明する。
【図面の簡単な説明】
【００３７】
【図１】エネルギー貯蔵部およびアンテナ要素をそれぞれ含む２つの補聴器を有する補聴器システムを概略的に示す。
【図２】側端部がアンテナ要素およびシールドによって覆われているエネルギー貯蔵部の斜視図を示す。
【図３】ジャケットシールドによって環状に円周がさらに取り囲まれている、図２によるエネルギー貯蔵部の図を示す。
【図４】円周領域が部分的にのみ取り囲まれている、図３によるエネルギー貯蔵部の側面図を示す。
【図５】ワイヤまたはコイル巻線を担持するコイル芯の両側に第１および第２のフィルム要素を有する、フレキシブル印刷回路基板に配置されたフィルムタイプのアンテナ要素の上面図を示す。
【図６】補聴器の送信および／または受信ユニットの電子部品を有する、設置状態においてエネルギー貯蔵部の方に対面する基板の後ろ側の後面図において、図５によるフレキシブル印刷回路基板を示す。
【図７】アンテナ要素が部分的に組み込まれている、電子部品を担持する補聴器回路基板の斜視図を示す。
【図８】回路基板の銅プライのアンテナ要素の第３のフィルム要素を有する、図７の線ＶＩＩＩ−ＶＩＩＩに沿って取った断面の補聴器回路基板の拡大詳細図を示す。
【発明を実施するための形態】
【００３８】
互いに対応する部分には、全ての図面において同じ参照符号を付す。
【００３９】
図１は、２つの構造的に均等な補聴器４を有する（両耳）補聴システム２を示す。補聴器４は、補聴支援機器として提供され、かつそれぞれ使用者（装用者）の一方の耳の後ろ側に装用されるように構成されている。換言すると、補聴器は、それぞれ耳掛け型補聴器（ＢＴＥ補聴器）であり、耳に挿入される音響管（図示せず）を有する。それぞれの補聴器４は、例えばプラッスチック製のハウジング６を含む。２つの電気機械式音響変換器１０を有するマイクロホン８がハウジング６内に配置されている。マイクロホン８の指向性の変更は、受信した音声信号からそれぞれの音響変換器１０により生成される電気信号の時間遅延を変更することにより、２つの音響変換器１０によって可能になる。２つの電気機械式音響変換器１０は、増幅回路を含む信号処理ユニット１２に、信号をやり取りするように結合される。信号処理ユニット１２は、電気および／または電子（能動および／または受動）部品および回路要素を有する。
【００４０】
さらに、スピーカ１４は、信号をやり取りするように信号処理ユニット１２に結合され、それにより信号処理ユニット１２によって処理される音響変換器１０の電気信号が再び音声信号として出力される。これらの音声信号は、音響管（図示せず）によって補聴器システム２の使用者の耳へ伝えられる。
【００４１】
各補聴器４の信号処理ユニット１２、マイクロホン８、およびスピーカ１４の電力供給（電圧および電流の供給）は、再充電可能なエネルギー貯蔵部１６（破線によって示す）によって行われる。補聴器４のそれぞれは、送信および／または受信ユニット１９のアンテナ要素１８をさらに有し、それを用いて２つの補聴器４間の無線通信２０が可能になる。この場合、アンテナ要素１８は、エネルギー貯蔵部１６を部分的に取り囲む。無線通信２０は、データを交換するために使用されかつ誘導的に行われる。例えば、補聴器４の装用者に三次元での聴覚感覚をもたらすことは、データの交換によって可能になる。
【００４２】
さらに、図１の実施形態には、例えばリモコン装置またはスマートフォンである別の機器２２が示されている。この機器は通信ユニット（詳細には図示せず）を有し、それを使用して、一点鎖線矢印２４によって示されている別の無線通信が２つの補聴器４の２つのアンテナ要素１８を用いて確立される。無線通信は、別の機器２２と補聴器４との間のデータの交換に使用される。
【００４３】
その上、アンテナ要素１８は、充電器２７から補聴器４への、一点鎖線矢印２６で表されるような誘導および無線エネルギー伝達に使用されるため、特定の動作モードにおいて、補聴器４の再充電可能なエネルギー貯蔵部１６の充電がアンテナ要素１８によって可能になる。換言すると、エネルギー貯蔵部１６を充電するために使用されるエネルギーは、アンテナ要素１８によって誘導的に伝達される。
【００４４】
図２、図４、および図７は、エネルギー貯蔵部１６を斜視図で示し、エネルギー貯蔵部は、重ねて配置された２つの同軸上に取り付けられたシリンダーに対応する形状を有し、シリンダー軸に対して平行な縦方向Ｌを有する。シリンダーの対向するおよび離間した平面は、エネルギー貯蔵部１６の平行する側端部または端面２８を形成する。２つのシリンダーのジャケット表面は、エネルギー貯蔵部１６の円周領域３０を形成する。
【００４５】
アンテナ要素１８は、強磁性物質またはフェリ磁性物質からフィルム構造３２として形成され、エネルギー貯蔵部１６の側端部２８の端面は、アンテナ要素１８によって部分的に覆われ、特に側端面２８の端面の半分超が覆われている。アンテナ要素１８は、図２ではフェライトフィルムとして供されている。この場合、フィルム構造３２は、それぞれ第１および第２のフィルム要素３４および３６、ならびにまた第３のフィルム要素３８を有する。第１および第２のフィルム要素３４および３６は、エネルギー貯蔵部１６の対向する側端部２８に平行に配置され、かつエネルギー貯蔵部１６の側端部または端面２８を同時に覆う。
【００４６】
フィルム構造３２の第１のフィルム要素３４は、第２のフィルム要素３６と構造的に均等であり、かつそれに対して対称的であり、ここで、対称面は、２つのフィルム要素３４および３６間において縦方向Ｌに対して垂直に延在する。第３のフィルム要素３８は、エネルギー貯蔵部１６の円周領域３０に重なり、および縦方向Ｌにおいて第１および第２のフィルム要素３４および３６に対して横断方向に延在する。第３のフィルム要素３８は、この場合、アンテナ要素１８のコイル芯４０を形成し、かつワイヤまたはコイル巻線４２を備える。ワイヤまたはコイル巻線４２は、電子ユニット（図示せず）と電気的に接触する。フィルム構造のフィルム要素３４、３６、３８はＵ字形状を形成し、第１および第２のフィルム要素３４、３６はＵ字の脚部を形成し、および第３のフィルム要素３８はＵ字形状の接続脚部を形成する。
【００４７】
フィルム要素３４、３６、３８は、好ましくは平面的構造として供される。換言すると、第１および第２ならびにまた第３のフィルム要素３４、３６、３８は、側端部２８および／またはエネルギー貯蔵部１６の円周領域３０に対して垂直のフィルムの厚さが、側端部２８の端面および／または円周領域３０に対して平行なフィルム要素３４、３６、３８の範囲に比べて薄い。
【００４８】
さらに、いずれの場合も、アンテナ要素１８のフィルム構造３２の第１および第２のフィルム要素３４および３６とエネルギー貯蔵部１６との間にシールド４４が配置される。シールド４４は、反磁性物質または常磁性物質から形成されるか、または反磁性物質または常磁性物質を含有する。
【００４９】
図２の例示的な実施形態では、シールド４４は、銅フィルム４６として供される。銅フィルム４６は、比較的コスト効率が良くかつ簡単に適用でき、そのため、製造費が削減される。シールド４４は、フィルム構造３２の第１および第２のフィルム要素３４および３６によって少なくとも部分的に覆われている。
【００５０】
この場合、図２の例示的な実施形態では、第１および第２のフィルム要素３４および３６のフィルム構造は、シールド４４に対してサイズが小さくされるため、縦方向Ｌに沿った、シールド４４上におけるフィルム構造の突出部は、第３のフィルム要素３８がアンテナ要素１８の第１および第２のフィルム要素３４、３６に結合される領域を除いて、シールド４４によって完全に取り囲まれる。
【００５１】
エネルギー貯蔵部１６に直接アンテナ要素１８を配置することにより、およびアンテナ要素１８のフィルム構造３２とエネルギー貯蔵部１６との間にシールド４４を配置することにより、場所を取らない実施形態が形成される。その結果、補聴支援機器４は、特に小さいものとして供され得る。代わりに、追加的な構成要素が補聴支援機器４に導入され得る。
【００５２】
アンテナ要素１８の感度および品質は、シールド４４の実施形態および第１および第２のフィルム要素３４、３６の実施形態により、動作に必要な条件に適合され、ここで、アンテナ要素１８は、比較的大きい端面を有するフェライトロッドアンテナのように動作する。エネルギー貯蔵部１６の方に対面する第１および第２のフィルム要素３４および３６の側面からエネルギー貯蔵部１６に向かう磁界の伝播は、この場合、シールド４４によって回避される。むしろ、これらの磁界は、アンテナ要素１８に押し込められるため、本質的にそこに広がり、それによりアンテナ要素１８の感度が改善される。
【００５３】
図３および図４は、図２による側面図で示した、アンテナ要素１８およびシールド４４を備えるエネルギー貯蔵部１６をそれぞれ示す。図３に示す実施形態では、側端部２８間にあるエネルギー貯蔵部１６の円周領域３０は、環状のジャケットシールド４８によって完全に取り囲まれている。換言すると、ジャケットシールド４８は縦方向Ｌに形成されて、エネルギー貯蔵部１６の円周領域３０全体がジャケットシールド４８によって覆われるようにしている。ジャケットシールド４８は、フィルム構造３２の第１および第２のフィルム要素３４および３６に取り付けられたシールド４４間に配置されている。
【００５４】
図４の実施形態によれば、エネルギー貯蔵部１６の円周領域３０は、環状のジャケットシールド４８によって部分的にのみ取り囲まれている。ジャケットシールド４８は、この場合、第１および第２のフィルム要素３４および３６に取り付けられるシールド４４間の中心に配置され、かつそれから離間している。図３および図４による両実施形態において、ジャケットシールド４８は、第３のフィルム要素３８とエネルギー貯蔵部１６との間に配置されている。
【００５５】
ジャケットシールド４８は、シールド４４の構成要素であり、および好ましくは、それぞれ第１または第２のフィルム要素３４または３６とエネルギー貯蔵部１６との間に配置されるシールド４４の材料で作製される。ここで、ジャケットシールド４４は銅フィルムとして供される。
【００５６】
フィルム構造３２により、かつまた第１および／または第２のフィルム要素３４、３６とエネルギー貯蔵部１６との間のシールド４４により、かつジャケットシールド４８により、エネルギー貯蔵部１６への磁界の侵入が回避されるため、シールド４４において交流磁界の渦電流損が引き起こされたとしてもわずかにすぎない。その結果、エネルギー貯蔵部１６の加熱が回避される。ジャケットシールド４８の環状の実施形態のために、エネルギー貯蔵部１６の置換性がさらに維持される。
【００５７】
図５は、それぞれ第１および第２のフィルム要素３４および３６と、設置前の平らな実施形態にあるコイル芯４０として供される第３のフィルム要素３８の周りのワイヤまたはコイル巻線４２とを有するフレキシブル印刷回路基板５０に配置されたアンテナ要素１８の上面図を示す。フレキシブル印刷回路基板５０は、この場合、第１の領域５２、第２の領域５４、およびまた第３の領域５６を有し、第１、第２、および第３の領域５２、５４、および５６は、コヒーレントに形成される。フィルム構造３２の第１、第２、および第３のフィルム要素３４、３６、および３８はそれに配置される。シールド４４は、この場合、フレキシブル印刷回路基板５０の銅プライとして供され、それによりシールドの単純かつ安定的な生産がもたらされる。
【００５８】
エネルギー貯蔵部１６へのアンテナ要素１８およびフレキシブル印刷回路基板５０の設置のために、第１に、フィルム構造の第１および第２のフィルム要素ならびにそれに配置されたフレキシブル印刷回路基板の領域５２および５４の折り曲げが好適な方法で行われる。同時にまたはそれに続いて、フィルム構造３２の第１および第２のフィルム要素３４、３６ならびにまたフレキシブル印刷回路基板５０の第１および第２の領域５２、５４は、エネルギー源１６の側端部２８に配置される。この場合、エネルギー貯蔵部１６の方に対面する印刷回路基板５０は、エネルギー源１６の側端部２８を完全に取り囲む。
【００５９】
図６は、設置状態にある、それぞれフィルム構造３２から見て外方に向きかつエネルギー貯蔵部１６の方に対面する、図５からのフレキシブル印刷回路基板５０の側面の上面図を示す。さらなる電子補聴器構成要素６０、例えば送信および／または受信ユニット１９の構成要素、充電電子ユニット、またはエネルギー貯蔵部１６用の端末がフレキシブル印刷回路基板５０上にある。これらは、フレキシブル印刷回路基板５０の第１および第２の領域５２および５４において本質的に中心に取り付けられる。シールド４４があるため、電子部品６０は磁界から遮蔽され、および補聴器構成要素６０の動作の結果として誘発されて生じ得る磁界に起因するアンテナ要素１８との干渉が低減される。
【００６０】
図７は、エネルギー貯蔵部１６の側端部２８に配置された第１および第２のフィルム要素３４、３６ならびにまた補聴器回路基板６２の斜視図を示す。フィルム構造の第１および第２のフィルム要素３４、３６は、補聴器回路基板６２のそれぞれ第１の領域６４または第２の領域６６に配置される。補聴器回路基板６２の回路基板領域６４、６６は、エネルギー貯蔵部１６の側端部２８に配置され、ここで、シールド４４が回路基板または印刷回路基板６２の銅プライ５８として供される。アンテナ要素１８のコイル芯４０を形成する第３のフィルム要素３８は、ここで、補聴器回路基板６２の第３の領域６８に組み込まれる。これは、補聴支援機器４のさらなる構成要素７０、特に増幅回路および／または電子部品を担持している。
【００６１】
図８は、図７からの線ＶＩＩＩ−ＶＩＩＩ間の補聴器回路基板６２の第３の領域６８の領域の断面図を示す。アンテナ要素１８のコイル芯４０を形成するフィルム構造３２の第３のフィルム要素３８は、補聴器回路基板６２に組み込まれる。この場合、ワイヤまたはコイル巻線４２は、補聴器回路基板６２の導体トラックから形成され、これらは、スルーコンタクト７２によって電気的に接触され、それによりワイヤまたはコイル巻線４２の複雑かつ高感度の巻線が回避される。シールド４４は、この場合、補聴器回路基板５０の銅プライ５８によって供される。
【００６２】
本発明は、上述の例示的な実施形態に限定されない。むしろ、本発明の主題から逸脱することなく、当業者によってそれらから本発明の他の変形形態も導かれ得る。特に、例示的な実施形態と併せて説明される全ての個別の特徴はまた、本発明の主題から逸脱することなく、別の方法で互いにさらに組み合わせることができる。
【符号の説明】
【００６３】
２  補聴器システム
４  補聴器／補聴支援機器
６  ハウジング
８  マイクロホン
１０  音響変換器
１２  信号処理ユニット
１４  スピーカ
１６  エネルギー貯蔵部
１８  アンテナ要素
１９  送信および／または受信ユニット
２０  無線信号送信
２２  別の機器
２４  矢印／無線通信
２６  矢印／エネルギー伝達
２７  充電器
２８  側端部
３０  円周領域
３２  フィルム構造
３４  第１のフィルム要素
３６  第２のフィルム要素
３８  第３のフィルム要素
４０  コイル芯
４２  ワイヤまたはコイル巻線
４４  シールド
４６  銅フィルム
４８  ジャケットシールド
５０  フレキシブル印刷回路基板
５２  印刷回路基板の第１の領域
５４  印刷回路基板の第２の領域
５６  印刷回路基板の第３の領域
５８  銅プライ
６０  電子補聴器構成要素
６２  補聴器回路基板／印刷回路基板
６４  補聴器回路基板の第１の領域
６６  補聴器回路基板の第２の領域
６８  補聴器回路基板の第３の領域
７０  補聴器の構成要素
７２  スルーコンタクト
Ｌ  縦方向
【図１】
2019004461.tif 000003
【図２】
2019004461.tif 000004
【図３】
2019004461.tif 000005
【図４】
2019004461.tif 000006
【図５】
2019004461.tif 000007
【図６】
2019004461.tif 000008
【図７】
2019004461.tif 000009
【図８】
2019004461.tif 000010